(57)【特許請求の範囲】
【請求項１】
横軸まわりに回転駆動される内刃（３０）と、かみそりヘッド（５）に対して着脱され、内刃（３０）に外接する外刃（７７）を支持する外刃ホルダー（２３）とを備えており、
内刃（３０）を支持する内刃フレーム（２２）に、内刃（３０）の下半周面と外接する清掃体（３３）が設けられており、
清掃体（３３）は、内刃（３０）に外接する清掃位置と、内刃（３０）から離れる待機位置との間を往復変位できるよう内刃フレーム（２２）で支持されて、ばね（６２）で清掃位置へ向かって移動付勢されており、
外刃ホルダー（２３）をかみそりヘッド（５）に装着した状態において、清掃体（３３）は外刃ホルダー（２３）でばね（６２）の付勢力に抗して待機位置に位置保持されており、
外刃ホルダー（２３）のかみそりヘッド（５）からの取り外し動作に連動して、清掃体（３３）がばね（６２）で清掃位置へ移動操作されるように構成されており、
清掃体（３３）が、その両端を支持する左右一対のスライドピース（３４）を介して、内刃フレーム（２２）で往復変位可能に案内支持されており、
内刃（３０）および清掃体（３３）を支持する内刃フレーム（２２）が、かみそりヘッド（５）に取り外し可能に組み付けられており、
かみそりヘッド（５）が、内刃フレーム（２２）と、内刃フレーム（２２）を支持する内刃支持台（２１）とを含み、
内刃支持台（２１）に、スライドピース（３４）を介して清掃体（３３）を清掃位置へ上昇操作する押上ピース（６３）が設けられ、ばね（６２）で押上げ付勢してある電気かみそり。
【請求項２】
かみそりヘッド（５）に、外刃ホルダー（２３）を装着状態においてロック保持するロック機構と、ロック機構をロック解除操作するロック解除ボタン（５３）とが設けられており、
ロック解除時の外刃ホルダー（２３）のかみそりヘッド（５）からの分離動作に連動して、清掃体（３３）が待機位置から清掃位置へ変位できるように構成してある請求項１記載の電気かみそり。
【請求項３】
清掃体（３３）がスライドピース（３４）に対して着脱可能に組み付けてある請求項１、または２記載の電気かみそり。
【請求項４】
スライドピース（３４）が内刃フレーム（２２）に往復変位可能に設けられ、押上ピース（６３）が内刃支持台（２１）に往復変位可能に設けてある請求項１、２、または３記載の電気かみそり。
【請求項５】
内刃支持台（２１）に左右一対の案内腕（２１ｂ）が立設されており、押上ピース（６３）が案内腕（２１ｂ）で上下スライド自在に案内支持してある請求項１から４のいずれかに記載の電気かみそり。
【請求項６】
押上ピース（６３）が、案内腕（２１ｂ）の外側面に摺接する主壁（６４）と、主壁（６４）から横向きに突設されて、案内腕（２１ｂ）を主壁（６４）と協同して抱持状に挟持する弾性係合爪（６５）とを含む請求項５記載の電気かみそり。
【請求項７】
かみそりヘッド（５）が、内刃支持台（２１）を支持するヘッドフレーム（２０）を含み、
内刃支持台（２１）がヘッドフレーム（２０）で軸（５１）を介して前後揺動可能に支持してある請求項１から６のいずれかに記載の電気かみそり。
【請求項８】
外刃ホルダー（２３）をかみそりヘッド（５）に装着した状態において、押上ピース（６３）が外刃ホルダー（２３）でばね（６２）に抗して下降操作され、同時にスライドピース（３４）が外刃ホルダー（２３）で待機位置に位置保持されており、
ばね（６２）が、外刃ホルダー（２３）をかみそりヘッド（５）から分離する向きに押し上げ付勢するばねを兼ねている請求項１から７のいずれかに記載の電気かみそり。
【請求項９】
清掃位置へ上昇移動した清掃体（３３）を、内刃（３０）の回転反力に抗して清掃位置に位置保持する下降防止具が、清掃体（３３）、スライドピース（３４）、押上ピース（６３）のいずれかひとつの移動ストロークに面して設けてある請求項１から８のいずれかに記載の電気かみそり。
【請求項１０】
下降防止具が、押上ピース（６３）と、内刃支持台（２１）の案内腕（２１ｂ）との間に設けた、弾性係合腕（６７）と係合部（９１）とで構成してある請求項９記載の電気かみそり。
【請求項１１】
弾性係合腕（６７）が押上ピース（６３）の主壁（６４）に一体に設けられ、係合部（９１）が案内腕（２１ｂ）に凹み形成した係合凹部（９１ａ）と、係合凹部（９１ａ）の下側に形成されて弾性係合腕（６７）の乗り上がりを容易化する誘導傾斜面（９１ｂ）とで構成してある請求項１０記載の電気かみそり。
【請求項１２】
清掃体（３３）が一群のブラシ毛と、ブラシ毛を支持する芯軸（３５）とを備えており、
清掃位置において、清掃体（３３）が内刃（３０）の回転中心を通る垂直平面から前後に離れた位置で内刃（３０）に外接するよう、清掃位置が設定してある請求項９、１０または１１記載の電気かみそり。
【請求項１３】
内刃フレーム（２２）の両側端に立設した左右一対の側壁（２９）のそれぞれに、スライドピース（３４）をスライド案内する溝（４０）が設けられており、
溝（４０）の上端に面して、清掃位置における芯軸（３５）を受け止める下降防止具が側壁（２９）と一体に設けてある請求項９記載の電気かみそり。
【請求項１４】
下降防止具が、スライドピース（３４）をスライド案内する溝（４０）の上端に設けられた横向きの受凹部（４６）と、スライドピース（３４）の軸受穴（４１）に設けられて、芯軸（３５）を受凹部（４６）へ向かって変位操作するカム面（４２）とで構成してある請求項１３記載の電気かみそり。  
【発明の詳細な説明】
【０００１】
【発明の属する技術分野】
この発明は、内刃等を清掃するための清掃体を有し、清掃体が内刃フレームに常装してある電気かみそりに関する。
【０００２】
【従来の技術】
この種の電気かみそりは、実公昭６０−７６５３号公報に公知である。そこでは内刃の下面に配置したブラシを、左右一対のスライドピースで軸支し、両ピースを内刃支持台で上下スライド自在に案内支持し、ばねで押上げ付勢している。
そのため、ブラシは内刃の周面下部に常時圧接している。実開昭５２−１０２３９１号公報にも同様の清掃構造が開示してある。
【０００３】
特開昭５７−１５０９８７号公報には、外刃ホルダーの着脱動作を利用して、清掃体を出し入れする電気かみそりが開示してある。具体的には、外刃ホルダーをかみそりヘッドから取り外した状態において、清掃体が本体ケース内からせり出し、内刃と外接するようになっている。外刃ホルダーをかみそりヘッドに再装着すると、清掃体は外刃ホルダーでばねに抗して押し下げられ、本体ケース内に収容される。
【０００４】
【発明が解決しようとする課題】
内刃支持台にブラシを常装する前者従来例においては、ブラシが内刃に常時外接しているので、ブラシが消耗しやすいうえ、モータ動力が無駄に消費される。
さらに、長期保存時にブラシ毛が変形する不利もある。この点、後者従来例においては、外刃ホルダーの着脱動作を利用して、清掃体を出し入れするので、ブラシがいたずらに消耗し、あるいはモータ動力の無駄な消費も解消できる。しかし、湾曲板状の清掃体をケースから出し入れする形態を採るので、内刃を清掃する場合に、清掃体のシール部面積が大きくなるのを避けられず、防水構造が複雑になる。また、本体ケース内の部品実装密度が高い現状の電気かみそりにおいては、清掃体を収容するだけのスペースを本体ケースの前後に確保することが難しく、この点でも実用化は極めて困難である。
【０００５】
この発明の目的は、ロータリ式の電気かみそりにおいて、内刃用の清掃体を常装していて、通常のかみそり使用時には清掃体が内刃から離れた位置に保持され、必要時には清掃体が内刃に外接して、内刃のクリーニングを行える電気かみそりを提供することにある。この発明の他の目的は、外刃ホルダーの着脱動作を利用して清掃体を清掃時に限って内刃に外接でき、清掃体を内刃フレームに常装しているにもかかわらず、その無駄な消耗や、モータ動力の無駄な消費を解消できる水洗い可能な電気かみそりを提供することにある。
【０００６】
【課題を解決するための手段】
この発明の電気かみそりは、横軸まわりに回転駆動される内刃３０と、かみそりヘッド５に対して着脱され、内刃３０に外接する外刃７７を支持する外刃ホルダー２３とを備えている。内刃３０を支持する内刃フレーム２２に、内刃３０の下半周面と外接する清掃体３３を設ける。清掃体３３は、内刃３０に外接する清掃位置と、内刃３０から離れる待機位置との間を往復変位できるよう内刃フレーム２２で支持されて、ばね６２で清掃位置へ向かって移動付勢してある。外刃ホルダー２３をかみそりヘッド５に装着した状態において、清掃体３３は外刃ホルダー２３でばね６２の付勢力に抗して待機位置に位置保持される。外刃ホルダー２３のかみそりヘッド５からの取り外し動作に連動して、清掃体３３がばね６２で清掃位置へ移動操作されるように構成する。清掃体３３は、その両端を支持する左右一対のスライドピース３４を介して、内刃フレーム２２で往復変位可能に案内支持する。内刃３０および清掃体３３を支持する内刃フレーム２２を、かみそりヘッド５に対して取り外し可能に組み付ける。かみそりヘッド５は、内刃フレーム２２と、内刃フレーム２２を支持する内刃支持台２１とを含む。内刃支持台２１に、スライドピース３４を介して清掃体３３を清掃位置へ上昇操作する押上ピース６３を設け、ばね６２で押し上げ付勢する。
【０００７】
かみそりヘッド５に、外刃ホルダー２３を装着状態においてロック保持するロック機構と、ロック機構をロック解除操作するロック解除ボタン５３とを設ける。以て、ロック解除時の外刃ホルダー２３のかみそりヘッド５からの分離動作に連動して、清掃体３３が待機位置から清掃位置へ変位できるように構成する。
【０００８】
清掃体３３はスライドピース３４に対して着脱可能に組み付ける。
【００１１】
スライドピース３４は内刃フレーム２２に往復変位可能に設け、押上ピース６３は内刃支持台２１に往復変位可能に設ける。
【００１２】
内刃支持台２１に左右一対の案内腕２１ｂを立設し、押上ピース６３を案内腕２１ｂで上下スライド自在に案内支持する。
【００１３】
押上ピース６３は、案内腕２１ｂの外側面に摺接する主壁６４と、主壁６４から横向きに突設されて、案内腕２１ｂを主壁６４と協同して抱持状に挟持する弾性係合爪６５とを含む。
【００１４】
かみそりヘッド５は、内刃支持台２１を支持するヘッドフレーム２０を含む。内刃支持台２１はヘッドフレーム２０で軸５１を介して前後揺動可能に支持する。
【００１５】
外刃ホルダー２３をかみそりヘッド５に装着した状態において、押上ピース６３が外刃ホルダー２３でばね６２に抗して下降操作され、同時にスライドピース３４が外刃ホルダー２３で待機位置に位置保持されている。ばね６２は、外刃ホルダー２３をかみそりヘッド５から分離する向きに押し上げ付勢するばねを兼ねている。
【００１６】
清掃位置へ上昇移動した清掃体３３を、内刃３０の回転反力に抗して清掃位置に位置保持する下降防止具を、清掃体３３、スライドピース３４、押上ピース６３のいずれかひとつの移動ストロークに面して設ける。
【００１７】
下降防止具は、押上ピース６３と、内刃支持台２１の案内腕２１ｂとの間に設けた、弾性係合腕６７と係合部９１とで構成する。
【００１８】
弾性係合腕６７は押上ピース６３の主壁６４に一体に設け、係合部９１は案内腕２１ｂに凹み形成した係合凹部９１ａと、係合凹部９１ａの下側に形成されて弾性係合腕６７の乗り上がりを容易化する誘導傾斜面９２ｂとで構成する。
【００１９】
清掃体３３が一群のブラシ毛と、ブラシ毛を支持する芯軸３５とを備えている。清掃位置において、清掃体３３が内刃３０の回転中心を通る垂直平面から前後に離れた位置で内刃３０に外接するよう、清掃位置を設定する。
【００２０】
内刃フレーム２２の両側端に立設した左右一対の側壁２９のそれぞれに、スライドピース３４をスライド案内する溝４０を設ける。溝４０の上端に面して、清掃位置における芯軸３５を受け止める下降防止具を側壁２９と一体に設ける。
【００２１】
下降防止具は、スライドピース３４をスライド案内する溝４０の上端に設けられた横向きの受凹部４６と、スライドピース３４の軸受穴４１に設けられて、芯軸３５を受凹部４６へ向かって変位操作するカム面４２とで構成する。
【００２２】
【作用および発明の効果】
内刃フレーム２２に常装した清掃体３３を、外刃ホルダー２３の着脱動作を利用して清掃位置と待機位置に変位操作するので、通常のかみそり使用時に清掃体３３が内刃３０と接当するのを阻止して、ひげそり時における清掃体３３の無駄な消耗を防止し、併せて、モータ７の消費動力を減少できる。清掃体３３を内刃フレーム２２に設けるので、かみそりヘッド５とモータ７との間に水密用のシール４を設けて本体部側の防水を行えるので、本体ケースから出し入れする清掃体で内刃のクリーニングを行う、従来の電気かみそりに比べて、シール構造を簡素化できるうえ、シール作用を確実に発揮でき、電気かみそりに好適なクリーニング機構が得られる。外刃ホルダー２３をかみそりヘッド５から取り外す動作に連動して、清掃体３３をばね６２で待機位置から清掃位置へと自動的に変位させるので、使用者は清掃体３３の位置の切換を行う必要がないのはもちろん、そのことを意識する必要もなく、従って、操作ミスや勘違いを生じる余地のない使い勝手のよい電気かみそりが得られる。水洗い洗浄する場合には、内刃３０を回転駆動しながら水洗いクリーニングを行うことができるので、内刃３０に付着した毛屑や皮脂を確実に清掃除去でき、その時、清掃体３３に付着した毛屑等も同時に洗い流せる。
【００２３】
かみそりヘッド５に装着した外刃ホルダー２３をロック機構でロック保持する電気かみそりにおいては、ロック機構をロック解除操作する際の外刃ホルダー２３の分離動作に連動して清掃体３３を待機位置から清掃位置へ変位操作できるので、清掃時にはロック解除ボタン５３を押すだけのワンタッチ動作で、外刃ホルダー２３の取り外しと清掃体３３の位置切換とを同時に行え、より少ない手間で簡単に清掃準備を行える。
【００２４】
清掃体３３をスライドピース３４に対して着脱可能とするのは、消耗しやすい清掃体３３の交換を容易化し、その手間を軽減することにより、常に適正な状態の清掃体３３の使用を促して、内刃３０等のクリーニングを常に好適に行えるようにするためである。
【００２５】
内刃フレーム２２をかみそりヘッド５に対して取り外し可能に組むと、内刃フレーム２２をかみそりヘッド５から取り外して内刃３０やその周辺部のメンテナンスを行えるので、メンテナンス作業を容易化できるうえ、先のように清掃体３３を交換し、あるいは洗浄するための作業を簡単に行える。
【００２６】
内刃フレーム２２ないし同フレーム２２を支持する内刃支持台２１に押上ピース６３を設け、この押上ピース６３をばね６２で押上げ付勢して、ばね６２の押上げ力を押上ピース６３からスライドピース３４を介して清掃体３３に伝えるようにした清掃体付勢構造によれば、内刃フレーム２２の取り外し時にばね６２の取り付け姿勢や組み込み姿勢が大きく変わってしまうのを防止でき、従って、内刃フレーム２２の内刃支持台２１に対する取り外しや再組立を容易に行える。とくに、押上ピース６３を内刃支持台２１の側に設ける場合には、内刃フレーム２２を取り外した状態において、ばね６２の付勢力が清掃体３３に作用するのを阻止できるので、清掃体３３の交換や洗浄、あるいは内刃３０の洗浄や補修をより簡単に行える。
【００２７】
押上ピース６３を案内腕２１ｂで上下スライド自在に案内支持する清掃体付勢構造によれば、各構成部品の構造や動きを単純化して、動作をより安定的に発揮できるうえ、押上ピース６３の上下スライドに伴う占有領域を最小限化して、清掃体付勢構造をコンパクト化することに役立つ。
【００２８】
主壁６４および弾性係合爪６５等で押上ピース６３を構成し、案内腕２１ｂを主壁６４と弾性係合爪６５とで抱持状に挟持する押上ピース６３の組み付け構造によれば、押上ピース６３を案内腕２１ｂに対して、その一側外面から圧嵌装着するだけで組み付けを終了できるので、その分だけ組み立て工数を減らして組み立てコストを削減できる。
【００２９】
内刃支持台２１をヘッドフレーム２０で前後揺動可能に支持した電気かみそりによれば、内刃支持台２１と、内刃支持台２１に装着した外刃ホルダー２３とを、軸５１の回りに前後揺動させることができる。つまり、首振式のかみそりヘッドを構成して、ひげそり時の電気かみそりの取り扱いを簡便化できるうえ、軸５１で吊持される左右一対の案内腕２１ｂを利用して、これで押上ピース６３を上下動自在にスライド案内できる。従って、押上ピース６３用に別途スライド案内壁を設ける場合に比べて、内刃支持台２１の構造を簡素化できる。
【００３０】
外刃ホルダー２３を装着した使用状態において押上ピース６３とスライドピース３４を外刃ホルダー２３で押え保持する清掃体付勢構造においては、押上ピース６３をばねで押し上げ付勢することにより、清掃体３３用のばね６２で外刃ホルダー２３用の押上げばねを兼ねることができるので、部品点数を減らしその分だけコスト減を実現できる。
【００３１】
クリーニング時には、内刃３０の回転力が清掃体３３に作用するので、清掃体３３は回転反力を受けて待機位置の側へ下降しようとする。この下降動作を阻止して、清掃体３３を清掃位置に止め置くために下降防止具を設ける。このように清掃体３３を下降防止具で清掃位置に位置保持すると、清掃体３３を内刃３０に対して常に好適な接触状態で接触させることができるので、内刃３０の水洗いクリーニングを適切かつ確実に行える。
【００３２】
下降防止具を弾性係合腕６７と係合部９１とで構成し、これらの各部材を押上ピース６３と内刃支持台２１との間に設けると、部品点数の増加を避けながら、清掃体付勢構造をコンパクトにまとめることができる。また、弾性係合腕６７を押上ピース６３の側に設け、係合凹部９１ａとその下側に設けた誘導傾斜面９１ｂとで係合部９１を構成する下降防止具によれば、押上ピース６３の上方へのスライド、および弾性係合腕６７の係合部９１への落ち込み係合動作を容易化しながら、内刃３０の回転反力による押上ピース６３の下方移動を確実に阻止できる。なお、押上ピース６３を待機位置へ下降移動させる場合には、外刃ホルダー２３の押し込み操作を利用するので、弾性係合腕６７の係合凹部９１からの下方への抜け出しに支障を来すことはない。
【００３３】
内刃３０の回転中心を通る垂直平面から離れた位置で、清掃体３３を内刃３０に外接させると、内刃３０の回転反力の向きを清掃体３３の上下移動方向から逸すことができ、その分だけ清掃体３３に作用する回転反力の下向きの分力を小さくできる。従って下降防止具を簡素化し、あるいは下降防止具が負担すべき外力を小さくできる。
【００３４】
スライドピース３４用の溝４０の上端に面して、清掃体３３の芯軸３５を受け止めるための下降防止具を設け、これを内刃フレーム２２の側壁２９と一体に形成すると、下降防止具を専用の部品として構成する場合に比べて、清掃体付勢構造を簡素化し、その製造に要するコストを減少できる。
【００３５】
下降防止具を、溝４０の上端に設けた横向きの受凹部４６と、スライドピース３４の軸受け穴４１に設けたカム面４２とで構成すると、スライドピース３４の上昇変位動作を利用して、そのストローク上端において清掃体３３の芯軸３５をカム面４２で横移動操作し、受凹部４６内へ芯軸３５を位置させ、その状態を保持できるので、内刃クリーニング時に清掃体３３を適正位置に保持して、その水洗い洗浄をより適切に、しかもより小さな回転抵抗状態で行える。
【００３６】
【実施例】
図１ないし図２０はこの発明に係る水洗い式の電気かみそりの実施例を示す。
図２ないし図５において、電気かみそりは、上下端が開口する異形筒形の本体ケース１と、その内部に上面側から差し込み装填される電装品ユニット２と、ケース下面側から組み付けられる底ケース３と、電装品ユニット２の上部にシール４を介して固定されるかみそりヘッド５などで構成してある。電装品ユニット２を本体ケース１内に装填し、電装品ユニット２と本体ケース１に内嵌した底ケース３とをビス６で締結し、先のシール４を本体ケース１の内面に密接させ、さらに底ケース３側の締結部をＯリングやパッキンでシールすることにより、本体ケース１内への水の浸入を阻止し、かみそりヘッド５の水洗いを可能としている。電装品ユニット２は、プラスチック成形された内ケース１０にモータ７、二次電池８、回路基板などを組み付けてなる。モータ７の出力軸の部分には水密用のパッキン９が設けてある。
【００３７】
本体ケース１の前面にはモータ起動用のスイッチボタン１１と、このスイッチのオン状態と、二次電池８の電圧状態に応じて、点灯し、あるいは点滅する発光表示体１２が設けてある。また、本体ケース１の後面には、きわぞり刃ユニット１３と、きわぞり刃ユニット１３を起伏操作するスライドノブ１４が設けてある。本体ケース１の一側上部には、首振りロック用のロックノブ１５が設けてある。ロックノブ１５を上方へスライド操作すると、内刃支持台２１の前後揺動を阻止できる。
【００３８】
モータ７の動力は、ギヤトレイン１６を介して最初は横向きに、次いで上向きに伝動され、かみそりヘッド５の上部に設けた前後一対の内刃３０へと伝えられる。また、第２段目のギヤと一体に設けた偏心カムできわぞり刃用の振動子と、センタートリマー用の振動子とを同時に往復駆動して、きわぞり刃ユニット１３と、前後一対の内刃３０の間に設けたセンタートリマ７８（図１６参照）を同時に駆動できるようにしている。なお、きわぞり刃ユニット１３は、スライドノブ１４を上方スライドした状態においてのみ、先の往復動力を受け継ぐ。
【００３９】
図６において、かみそりヘッド５は、それぞれ逆門形に形成されるヘッドフレーム２０と、内刃支持台２１と、内刃フレーム２２と、外刃ホルダー２３などで構成する。
【００４０】
ヘッドフレーム２０は、下向きに開口するケース部２０ａと、ケース部２０ａの左右両端に立設したホルダー部２０ｂとを有し、ケース部２０ａの内部に先のギヤトレイン１６の大半と振動子等を収容し、その下面が蓋２０ｃで塞いである。図６に向かって左方のホルダー部２０ｂにはギヤトレイン１６の残りが配置され、その外面がカバー２４で覆ってある。右方のホルダー部２０ｂには外刃ホルダー２３の着脱動作を安全スイッチ２５へ伝える中継ピース２６が設けられ、その外面がカバー２４で覆ってある。安全スイッチ２５は、モータ７に隣接してシール４の下面側に設けられる（図５参照）。右方のカバー２４には、後述する外刃ホルダー２３用のロック機構をロック解除操作するためのロック解除ボタン５３が設けてある。中継ピース２６の内側には、押上ピース６３を押上げ操作する押圧片２７と、圧縮コイル形のばね６２とが設けてある。これらの詳細は後述する。
【００４１】
内刃フレーム２２は、基壁２８と、基壁２８の左右両端に立設した一対の側壁２９とを有し、両側壁２９の上端間に前後一対のロータリー刃からなる内刃３０をそれぞれ回転自在に軸支している。図６に向かって左方の内刃軸には小直径の内刃ギヤが固定してあり、このギヤが内刃支持台２１に設けた終段ギヤ３２と噛み合うことにより、モータ動力を前後の内刃３０へ同時に伝えるようになっている。内刃清掃のために、各内刃３０の下方に清掃体３３を配置し、その左右端を側壁２９に組み付けたスライドピース３４で回転自在に軸支している。清掃体３３は、一群のブラシ毛を複数の芯線の間にねじり合わせて螺旋スクリュー状に形成してあり、ねじり合わされた芯線が芯軸３５を兼ねている。内刃フレーム２２は内刃支持台２１に対して着脱自在に圧嵌係合してある。符号２８ａはそのための係合片を示す。
【００４２】
図７ないし図９において、スライドピース３４は、側壁２９の内面に沿って摺接する縦壁部３７と、縦壁部３７の摺接面側に突設した前後一対の係合爪３８と、縦壁部３７の下端に横向きに突設した接当片３９とを有する。一対の係合爪３８を側壁２９に通設した上下方向の溝４０に圧嵌係合することにより、スライドピース３４は溝４０で上下動自在に案内支持される。縦壁部３７の上部には、清掃体３３の芯軸３５を受け入れる軸受穴４１を設け、その穴底部に連続して斜めに傾斜するカム面４２を係合爪３８と同方向へ突設する。軸受穴４１を囲む周縁壁の前面上部には、外刃ホルダー２３の動きを受け継ぐ受片４３を突設する。なお、スライドピース３４は左右対称の一組を用意しておいて、これらで清掃体３３の両端を軸支する。また後方の一組は前方の一組の左右を入れ換えて配置し、同様にして清掃体３３を軸支する。
【００４３】
上記のように、清掃体３３をスライドピース３４で軸支し、さらにスライドピース３４を側壁２９でスライド案内することにより、清掃体３３をそのブラシ毛が内刃３０に外接する上方の清掃位置（図１に示す状態）と、ブラシ毛が内刃３０から離れる下方の待機位置（図８に示す状態）との間で往復変位できる。クリーニング時には、清掃体３３は内刃３０の回転力を受けて回転する。このときの回転反力を軽減するために、先の溝４０の中心を内刃３０の回転中心軸を通る垂直面より前後いずれかにずらしている。詳しくは、前方の清掃体３３は先の垂直面より前側で、後方の清掃体３３は先の垂直面より後側で、それぞれ内刃３０と外接するようにしている。
【００４４】
清掃位置へ上昇した清掃体３３が、内刃３０の回転反力を受けて下降移動するのを防ぐために、スライドピース３４と側壁２９との間に下降防止具を設けている。具体的には図９に示すように、先の溝４０の上端に設けた横向きの受凹部４６と、先に説明したカム面４２とで下降防止具を構成し、清掃位置へ上昇した清掃体３３の芯軸３５を、カム面４２で溝４０の前後中心よりもさらに前又は後へ偏寄した位置へと偏位操作し、芯軸３５を受凹部４６で受け止めさせて、回転反力の殆どを受凹部４６に負担させるようにしている。こうした芯軸３５の横移動を許すために、軸受穴４１の基本形状を前後に長い長円状とし、その底部一側にカム面４２を設けている。清掃体３３の交換を容易化するために、軸受穴４１の上下幅は芯軸３５の直径値より充分に大きく設定してある。
【００４５】
図１０に示すように、内刃フレーム２２の両側壁２９の外面側には、それぞれサイドカバー４７が圧嵌装着してある。サイドカバー４７の前後の脚部には、それぞれカバー厚み方向へ弾性変形できるストッパー爪４８が設けてある。ストッパー爪４８は外刃ホルダー２３の跳び出しを防いで、洗浄位置に位置保持するために設けてあるが、そのことは後述する。
【００４６】
図６において内刃支持台２１は、上向きに開口する区画を備えた台基部２１ａと、その左右両端から立設した左右一対の案内腕２１ｂと、台基部２１ａの上面開口を塞ぐ蓋体２１ｃとからなる。左右の案内腕２１ｂに設けた軸５１をヘッドフレーム２０のホルダー部２０ｂの上部で軸支することにより、内刃支持台２１は前後揺動自在に、つまり首振可能に軸支される。台基部２１ａの内部には、内刃支持台２１に外嵌装着した外刃ホルダー２３を、抜け外れ不能にロック保持するためのロック機構が設けられる。
【００４７】
図１１に示すように、ロック機構はロックピース５２と、ロックピース５２をロック解除操作するロック解除ボタン５３と、これらの部材に組まれる２種類の圧縮コイル形のばね５４・５５とからなる。ロックピース５２は、平面視でＴ字形の左右両端の爪腕５６と、これら爪腕５６の外面前後に設けたロック爪５７と、両腕５６同士を繋ぐ前後一対の連動枠５８と、ロック解除ボタン５３と対向する爪腕５６に設けた受動ピン５９などで構成する。各爪腕５６の中央枠の内部にばね５５を装填することにより、各爪腕５６はロック爪５７が台基部２１ａの外側方へ進出する向き、つまり外刃ホルダー２３とロック係合する向きに進出付勢される。
【００４８】
図１１において、受動ピン５９をロック解除ボタン５３でばね５５に抗して押し込み操作すると、図に向かって右方の爪腕５６は台基部２１ａ内を左方へ移動して、ロック爪５７が外刃ホルダー２３から外れる。この動きを利用して、図に向かって左方の爪腕５６をロック解除方向へ操作するために、連動枠５８の左端にＶ字状の動作反転部６０を設けて、その支点部６０ａを台基部２１ａに設けた固定壁６１で受け止めている。右方の爪腕５６が左方スライドすると、連動枠５８も同行スライドする。しかし、動作反転部６０と連動枠５８の直線枠部、および左方の爪腕５６とは、それぞれ薄肉のヒンジ部を介して繋がっているので、動作反転部６０は支点部６０ａを支点にして、前方のそれは前向きに、後方のそれは後向きに、それぞれ傾動する。その結果、左方の爪腕５６には右方の爪腕５６とは逆向きの力が伝わって右方スライドし、ロック爪５７が外刃ホルダー２３から外れる。
【００４９】
ロック解除操作された外刃ホルダー２３を内刃支持台２１から強制的に分離上昇させ、同時に、外刃ホルダー２３の分離動作に連動して清掃体３３を待機位置から清掃位置へ上昇操作するために、内刃支持台２１の左右の案内腕２１ｂのそれぞれに、押上ピース６３を設け、これらを直接又は間接的にばね６２で押し上げ付勢している。押上ピース６３の構造およびその付勢構造は左右で異なるので分けて説明する。
【００５０】
図６に向かって左方のギヤトレイン１６に隣接する側の案内腕２１ｂには、図７に示す押上ピース６３を設ける。押上ピース６３は案内腕２１ｂの外側面に摺接する主壁６４と、主壁６４から横向きに突設されて、案内腕２１ｂを主壁６４と協同して抱持状に挟持する上下一対の弾性係合爪６５・６５と、主壁６４の内側面に突設したばね受片６６と、主壁６４の板面上部に設けた弾性係合腕６７などで構成する。上側の弾性係合爪６５は、案内壁２１ｂを前後に挟み保持する状態で設けてあって、それ自体が上下スライドを安定的に行うためのスライド片６５ａを兼ねている。この弾性係合爪６５の前後一対の腕部には、案内腕２１ｂの内面に係合する爪片６８が設けられ、さらに腕部の先端の前後にスライドピース３４の接当片３９を操作するための操作片６９が突設される。
【００５１】
図１２に示すように下側の弾性係合爪６５は、台基部２１ａの側壁に通設した前後一対のスライド溝７１に圧嵌係合される。このスライド溝７１の間にばね受片６６用のスライド溝７２を設け、ばね受片６６と台基部２１ａの内底との間に圧縮コイル形のばね６２を介装している。このように、ばね６２で押し上げ付勢された押上ピース６３は、その操作片６９が、接当片３９と接当して、スライドピース３４を上方へ同行スライドさせる。また、外刃ホルダー２３を内刃支持台２１に装着する際には、外刃ホルダー２３の押圧段部８３がスライド片６５ａの上端に接当して、押上ピース６３をばね６２に抗して押し下げ操作する。
【００５２】
図６に向かって右方の押上ピース６３は、上記の押上ピース６３と概ね同じ構造とするが、ばね６２による押し上げ付勢を間接的に行う点等に違いがある。右方の押上ピース６３は、先に説明したロック機構の受動ピン５９に面して設けられる。そのため、その主壁６４にはばね受片６６を設けることができない。そこで、押上ピース６３とは別に押圧片２７を設け、この押圧片２７をばね６２で押し上げ付勢している。図１５において押圧片２７は、座板２７ａの上下面に操作ピン２７ｂと、ばね受ピン２７ｃを突設してなり、操作ピン２７ｂが主壁１４の下端内面に膨出した突壁７３と接当して、押上ピース６３の全体を押し上げ操作する。押圧片２７はヘッドフレーム２０のケース部２０ａ内に収容され、ばね６２の下端は蓋２０ｃで受け止められている（図６参照）。
【００５３】
上記のように、右方の押上ピース６４は、突壁７３を設ける以外に、主壁６４に受動ピン５９用の逃げ溝７４を設ける点、スライド片６５ａの突端内面に、後述するイジェクトピース９３用の受止部７５を設ける点等が左方の押上ピース６３と異なる。なお、左方の押上ピース６３で説明した各部材と同一の部材には、同じ符号を付してその説明を省略する。
【００５４】
図１６において外刃ホルダー２３は、ホルダー本体７６と前後一対の外刃７７、および両外刃７７の間に配置したセンタートリマ７８とからなる。ホルダー本体７６はキャップ状に形成してあり、その左右壁のそれぞれに、内外支持台２１の案内壁２１ｂに外嵌する装着部７９を設け、装着部７９を前後に挟む左右壁の内面下部にロック爪５７と係合するロック凹部８０を設けている。ロック凹部８０の上側に連続して逃げ溝８１が凹み形成してある。装着部７９の中途部には、左方の押上ピース６３を押し下げ操作し、あるいはイジェクトピース９３を介して右方の押上ピース６３を押し下げ操作するための押圧段部８２を設ける。押圧段部８２に連続して、係合凹部８３を設ける。
【００５５】
外刃ホルダー２３の左右側壁の内方に一対の垂壁８６を突設し、この垂壁８６の間に補助枠８７とセンタートリマ７８を圧嵌装着し、補助枠８７の前後面と外刃ホルダー２３の前後壁との間に外刃７７を断面アーチ形に装着している。垂壁８６の下部前後に、スライドピース３４の受片４３と接当する押下段部８８を設けている。先に説明したように押上ピース６３は外刃ホルダー２３の押圧段部８２で押し下げ操作される。このとき、スライドピース３４が溝４０に引っ掛かって内刃３０に接当したままになるのを防ぐために、押下段部８８を設け、これで受片４３を介してスライドピース３４も確実に待機位置へ下降操作できるようにしている。
【００５６】
外刃ホルダー２３を取り外した状態において、押上ピース６３はスライドピース３４を押し上げて清掃体３３を清掃位置に位置保持している。この位置保持をさらに確実なものとするために、押上ピース６３と案内腕２１ｂとの間に第２の下降防止具を設けている。図１４において下降防止具は、主壁６４に設けた弾性係合腕６７と、案内腕２１ｂの押上ピース６３との摺接面に形成した係合部９１とからなる。係合部９１は、先の摺接面に凹み形成した係合凹部９１ａと、係合凹部９１ａの下側に隣接して形成した誘導傾斜面９１ｂとからなる。誘導傾斜面９１ｂは押上ピース６３がばね６２で押上げ操作されるとき、弾性係合腕６７の係合凹部９１ａへの乗り上がりを容易化するために設けてある。
【００５７】
ロック機構をロック解除操作したとき、左右の押上ピース６３はそれぞればね６２の付勢力を受けて急速に上方スライドするが、そのストロークは短い。つまり、清掃体３３が清掃位置へ上昇した時点で押上ピース６３は停止する。この状態から外刃ホルダー２３をさらにもう一段押し上げ操作して、その取り外し操作を容易化するために、図６において右方の案内腕２１ｂにイジェクトピース９３を設け、これをイジェクトばね９４で押し上げ付勢している。
【００５８】
図１５および図１７において、イジェクトピース９３は、案内腕２１ｂの内側面に沿って摺接するスライド壁９５と、スライド壁９５の上部左右に設けた抱持腕９６と、抱持腕９６の両側上部に設けた受動爪９７と、スライド壁９５の下面に設けたばね受座９８を有する。抱持腕９６を案内腕２１ｂに係合し、さらにばね受座９８を案内腕２１ｂのばね溝９９に係合することにより、イジェクトピース９３は案内腕２１ｂで上下スライド可能に支持され、ばね受座９８と内刃支持台２１の内底との間に介装したイジェクトばね９４で押し上げ付勢される。なお、イジェクトばね９４の押し上げ力は、押上ピース６３用のばね６２の押し上げ力に比べて小さいが、そのストロークは長い。
【００５９】
外刃ホルダー２３を取り外した状態において、イジェクトピース９３は案内腕２１ｂの上端に位置している。この状態から、外刃ホルダー２３を内刃支持台２１に装着しかけると、図１６に示すようにその左右両側壁に設けた押圧段部８２が受動爪９７に接当して、イジェクトピース９３を押し下げ操作する。このとき受動爪９７は、係合凹部８３に落ち込み係合している。そして、抱持腕９６の下端が押上ピース６３の受止部７５に接当した後は、図１８に示すように押上ピース６３も同時に下降移動して、最下降位置まで押し下げ操作される。このとき、スライドピース３４も同時に押し下げ操作されることは先に説明した通りである。
【００６０】
ロック機構をロック解除操作すると、外刃ホルダー２３は押上ピース６３およびイジェクトピース９３のばね６２・９４の合計ばね力を受けて、急速に押し上げ操作されるが、押上ピース６３が清掃体３３を清掃位置まで押し上げた後は、イジェクトピース９３のみが上昇してゆっくりと外刃ホルダー２３を押し上げて洗浄位置（図１７の状態）まで開放する。この状態で外刃ホルダー２３を位置保持するために、図１０に示すようにサイドカバー４７にストッパー爪４８を設け、この爪４８をホルダー本体７６の側壁内面のロック凹部８０に係合し、さらに図１７に示すように、イジェクトピース９３の受動爪９７を係合凹部８３に落ち込み係合させている。
【００６１】
以上のように、構成した電気かみそりは、外刃ホルダー２３を洗浄位置（図１７の状態）まで上昇させて、清掃体３３が内刃３０の下側周面に外接する状態で水洗い洗浄する。このとき、内刃３０を回転駆動しながら洗浄を行うと、より効果的にクリーニングを行える。そこで、外刃ホルダー２３の分離位置に応じて、安全スイッチ２５をオンオフ操作する中継ピース２６をヘッドフレーム２０に設けている。
【００６２】
図１９および図２０において、中継ピース２６は、ホルダー部２０ｂの外面に沿って上下摺動するスライドピース１０１と、スライドピース１０１の下端から横向きに突設される下腕部１０２とを有し、下腕部１０２の上下面に規制ピン１０３と安全スイッチ２５を押圧する操作ピン１０４を突設してなる。規制ピン１０３はヘッドフレーム２０のケース部２０ａの内面に設けたボスで上下スライドのみ自在に案内支持してある。下腕部１０２には、押圧片２７のばね受ピン２７ｃとばね６２を挿通するための穴１０５が通設してある。
【００６３】
安全スイッチ２５は、基本的に外刃ホルダー２３を内刃支持台２１から取り外すとオフ状態に切換わって、モータ７への通電回路を遮断するようになっていて、外刃ホルダー２３を洗浄位置まで開放した状態においては、安全スイッチ２５をオン状態に維持して、内刃３０を駆動できるようにしている。また、外刃ホルダー２３を内刃支持台２１に装着したとき、押上ピース６３と共に押圧片２７が下降する動作を利用して、中継ピース２６の下腕部１０２を押圧片２７の座板２７ａで押し下げ操作し、安全スイッチ２５をオン状態に維持し、中継ピース２６をその位置に位置保持できるようにしている。
【００６４】
具体的には、スライドピース１０１の前後枠の中途部に無端状の弾性腕１０６を一体に設け、その中途部に設けた節動突起１０７が、案内腕２１ｂのピン１０８を上下に乗り越えるようにしている。先に説明したように、中継ピース２６が押圧片２７で押し下げ操作されたとき、節動突起１０７はピン１０８を下方へ乗り越えてその下半周面に接当している（図１９の状態）。つまり、中継ピース２６は安全スイッチ２５をオン状態に維持している。この状態から外刃ホルダー２３を洗浄位置まで開放すると、押圧片２７と押上ピース６３は、それぞれ上方移動するが、中継ピース２６は移動せず、安全スイッチ２５のオン状態を維持し続ける。
【００６５】
上記の状態から外刃ホルダー２３を抜き出し操作すると、イジェクトピース９３が同行移動して、その抱持腕９６が、スライドピース１０１の上端前後に設けた一対の受爪１０９を介して中継ピース２６を上方へスライド操作する。その結果、節動突起１０７はピン１０８を上方へ乗り越えてその上半周面で受け止められる。このときの動作で安全スイッチ２５はオフ状態に切り換わる。さらに外刃ホルダー２３を抜き出すと、受動爪９７と係合凹部８３の係合が解除されて、外刃ホルダー２３を完全に分離できる。
【００６６】
上記のように、外刃ホルダー２３を洗浄位置まで開放した状態において、内刃３０を回転駆動できるようにすると、内刃３０の外面を外刃ホルダー２３で覆った安全な状態の許に、内刃３０の水洗い洗浄を効果的に行える。しかも、外刃ホルダー２３を完全に取り外した状態では、内刃３０が回転駆動されるのを確実に防止できる。
【００６８】
下降防止具は図２１に示すように、溝４０の上端寄りに突設した上下に弾性変形できる弾性片１１３で形成できる。
【００６９】
上記以外に、この発明は内刃３０が一個のみ設けてある電気かみそりにも適用できる。かみそりヘッド５は首振り式でない形態であってもよい。清掃体３３は回転可能なブラシであることが好ましいが、必要があれば、歯ブラシ状の非回転型のものであってもよい。
【図面の簡単な説明】
【図１】内刃フレームと内刃支持台を分離した断面図である。
【図２】電気かみそりの正面側の斜視図である。
【図３】電気かみそりの背面側の斜視図である。
【図４】電気かみそりの正面図である。
【図５】電気かみそりの分解断面図である。
【図６】かみそりヘッドの分解正面図である。
【図７】スライドピースと押ピースの斜視図である。
【図８】内刃フレームと内刃支持台を分離した断面図である。
【図９】清掃体の軸支構造を示す側面図である。
【図１０】内刃フレームの側面図である。
【図１１】外刃ホルダーのロック機構の横断平面図である。
【図１２】押上ピースと案内腕の関係を示す縦断側面図である。
【図１３】押上ピースを押し下げた状態の内刃支持台の側面図である。
【図１４】図１３におけるＡ−Ａ線断面図である。
【図１５】スライドピース、押上ピースおよびイジェクトピースの分解斜視図である。
【図１６】外刃ホルダーの縦断側面図である。
【図１７】イジェクトピースと外刃ホルダーの関係を示す縦断正面図である。
【図１８】図１７の状態から各ピースを押下げ操作した状態の縦断正面図である。
【図１９】中継ピースの側面図である。
【図２０】中継ピースの斜視図である。
【図２１】  下降防止具の別の実施例を示す側面図である。
【符号の説明】
５  かみそりヘッド
２２  内刃フレーム
２３  外刃ホルダー
３０  内刃
３３  清掃体
３４  スライドピース
６２  ばね
６３  押上ピース
【図１】
0004569984.tif 000002
【図２】
0004569984.tif 000003
【図３】
0004569984.tif 000004
【図４】
0004569984.tif 000005
【図５】
0004569984.tif 000006
【図６】
0004569984.tif 000007
【図７】
0004569984.tif 000008
【図８】
0004569984.tif 000009
【図９】
0004569984.tif 000010
【図１０】
0004569984.tif 000011
【図１１】
0004569984.tif 000012
【図１２】
0004569984.tif 000013
【図１３】
0004569984.tif 000014
【図１４】
0004569984.tif 000015
【図１５】
0004569984.tif 000016
【図１６】
0004569984.tif 000017
【図１７】
0004569984.tif 000018
【図１８】
0004569984.tif 000019
【図１９】
0004569984.tif 000020
【図２０】
0004569984.tif 000021
【図２１】
0004569984.tif 000022